(57)【特許請求の範囲】
【請求項１】
リール本体の側板間に回転自在に支持したスプールと、一方の前記側板に設けた駆動機構と、前記スプールの前方において、前記駆動機構のハンドル軸の回転操作に連動して左右方向に往復動可能に設けられ、前記スプールに釣糸を平行に巻回する釣糸案内体と、を備えた魚釣用リールであって、
前記釣糸案内体に設けられた第１ラインガイドと、前記第１ラインガイドの前後の近傍位置に設けられ、前記第１ラインガイドとの間で釣糸を保持する第２ラインガイドと、
前記第１ラインガイドと前記第２ラインガイドとの少なくともいずれか一方を上下方向に移動させる移動手段と、を備え、
前記第１ラインガイドには、前記釣糸案内体の前方から見て、前記スプールの軸線に沿うようにして左右方向に延びるとともに左右方向の中央部に向けて下り傾斜状とされた釣糸案内面が設けられており、
前記第２ラインガイドには、前記軸線に沿う釣糸案内部が設けられており、
前記第１ラインガイドおよび前記第２ラインガイドは、
釣糸巻き取り時に、前記移動手段により相対的に近づく方向に移動されて、前記釣糸案内面と前記釣糸案内部とで上下方向から釣糸を巻き取り可能に保持するとともに、前記中央部に前記釣糸案内部で釣糸を誘導して当該中央部に釣糸を位置決め保持するようになっており、
釣糸放出時に、前記移動手段により相対的に離れる方向に移動されて、前記中央部における釣糸の位置決め保持を解除するようになっており、
釣糸巻き取り時および釣糸放出時のうち少なくとも釣糸放出時に、前記釣糸案内体の前方から見て、前記第１ラインガイドと前記第２ラインガイドとで囲われる見かけ上の閉じられた釣糸挿通領域が形成されることを特徴とする魚釣用リール。
【請求項２】
前記釣糸挿通領域は、
前記移動手段によって前記第１ラインガイドと前記第２ラインガイドとが相対的に移動されることで面積が変化するように構成されており、その変化の割合は、上下方向の変化の割合よりも左右方向の変化の割合が大きくなるように構成されており、
釣糸放出時における前記釣糸挿通領域の上下方向の高さをＨ１、釣糸放出時における前記釣糸挿通領域の左右方向の幅をＷ１とし、
釣糸巻き取り時における前記釣糸挿通領域の上下方向の高さをＨ２、釣糸巻き取り時における前記釣糸挿通領域の左右方向の幅をＷ２としたときに、
これらの関係が、
Ｈ１  −  Ｈ２  ＜  Ｗ１  −  Ｗ２
であることを特徴とする請求項１に記載の魚釣用リール。
【請求項３】
前記釣糸案内面は直線状を呈しており、その傾斜角度は、水平面に対して１〜３０度であることを特徴とする請求項１または請求項２に記載の魚釣用リール。
【請求項４】
前記第１ラインガイドの前記中央部には、釣糸巻き取り時に前記第２ラインガイドにより当該中央部に誘導された釣糸が挿入される釣糸案内溝が形成されていることを特徴とする請求項１から請求項３のいずれか１項に記載の魚釣用リール。
【請求項５】
前記第１ラインガイドは、左右方向に横長形状とされた釣糸挿通孔を有しており、前記釣糸挿通孔の底部内面に前記釣糸案内面が設けられていることを特徴とする請求項１から請求項４のいずれか１項に記載の魚釣用リール。
【請求項６】
前記第２ラインガイドは、左右方向に横長形状とされ、釣糸を軸回りに囲う枠状とされていることを特徴とする請求項１から請求項５のいずれか１項に記載の魚釣用リール。
【請求項７】
前記スプールに対する釣糸の巻き取りを可能にするクラッチＯＮ状態と、前記スプールからの釣糸放出を可能にするクラッチＯＦＦ状態と、に切り換え操作可能なクラッチレバーを備え、
前記第１ラインガイドと前記第２ラインガイドとの少なくともいずれか一方は、前記クラッチレバーの切り換え操作に連動して、前記クラッチＯＮ状態で前記移動手段により相対的に近づく方向に移動され、前記クラッチＯＦＦ状態で前記移動手段により相対的に離れる方向に移動されることを特徴とする請求項１から請求項６のいずれか１項に記載の魚釣用リール。
【請求項８】
前記スプールに対する釣糸の巻き取りを可能にするクラッチＯＮ状態と、前記スプールからの釣糸放出を可能にするクラッチＯＦＦ状態と、に切り換え操作可能なクラッチレバーを備え、
前記リール本体には、前記クラッチレバーとは別個独立した操作部が設けられており、
前記第１ラインガイドと前記第２ラインガイドとの少なくともいずれか一方は、前記操作部の操作により前記移動手段によって相対的に近づく方向または相対的に離れる方向に移動されることを特徴とする請求項１から請求項６のいずれか１項に記載の魚釣用リール。
【発明の詳細な説明】
【技術分野】
【０００１】
本発明は、スプール前方の側板間に、スプールに釣糸を平行に巻回案内するレベルワインド機構を備えた魚釣用リールに関する。
【背景技術】
【０００２】
従来、一般的な魚釣用リールは、リール本体に回転可能に支持したスプールを、動力伝達状態のクラッチＯＮ状態と動力遮断状態のクラッチＯＦＦ状態とに切り換えるクラッチレバーを備えており、このクラッチレバーを操作することで、スプールフリー（クラッチＯＦＦ状態）とし、キャスティング操作によって釣糸（仕掛け）を所定のポイントへ放出した後、ハンドルの巻き取り回転操作により、自動的にクラッチＯＮ状態に復帰できるように構成されている。
【０００３】
そして、ハンドルの巻き取り回転操作により、レベルワインド機構の釣糸案内体に設けられたラインガイドが左右方向に往復移動し、ラインガイドに挿通保持された釣糸がラインガイドを介してスプールに略平行に巻回されるようになっている。
【０００４】
ところで、魚釣用リールにおいて、釣糸放出時の抵抗を減少させることにより、飛距離性能の向上や仕掛け落下のスピード（着底までのスピード）を早くしたいという要望があった。
その一方で、巻き取り時の巻き取りムラに起因して、釣糸放出時に抵抗が生じることや、糸絡み等のトラブルが生じるのを回避するために、釣糸の巻き取り時には、スプールに対して釣糸を均一に平行に巻回したいという要望があった。
【０００５】
このような要望に対応する魚釣用リールとして、特許文献１に開示されたものが知られている。
この魚釣用リールでは、釣糸を抑える役割をなすピラーが上下方向に移動可能に設けられており、釣糸放出時にピラーを上方向に移動させることにより、釣糸放出時のガイド抵抗を減少させることができ、また、釣糸巻き取り時にはピラーを下方向に移動させることにより、ピラーを釣糸に接触させてガイドすることで、釣糸巻き取り時の巻取精度を向上させることが可能となっている。
【先行技術文献】
【特許文献】
【０００６】
【特許文献１】特開平１−１６５３２９号公報
【発明の概要】
【発明が解決しようとする課題】
【０００７】
特許文献１の魚釣用リールでは、釣糸放出時にピラーを上方向に移動させてガイド抵抗を減少させることが可能であるが、釣糸放出時には、スプールから繰り出された釣糸が遠心力により上下方向に膨らみ易くなり、糸絡み等のトラブルが生じ易かった。
【０００８】
また、釣糸巻き取り時には、フレームや平面視でハ字形とされたガイドの端部等に釣糸が引っ掛かったり、左右端部から中央部に釣糸が戻らなかったりするおそれもあった。
【０００９】
本発明は、前記問題を解決するためになされたものであり、スムーズな釣糸の放出および巻き取りを実現することができる魚釣用リールを提供することを課題とする。
【課題を解決するための手段】
【００１０】
このような課題を解決する本発明の魚釣用リールは、リール本体の側板間に回転自在に支持したスプールと、一方の前記側板に設けた駆動機構と、前記スプールの前方において、前記駆動機構のハンドル軸の回転操作に連動して左右方向に往復動可能に設けられ、前記スプールに釣糸を平行に巻回する釣糸案内体と、を備えた魚釣用リールであって、前記釣糸案内体に設けられた第１ラインガイドと、前記第１ラインガイドの前後の近傍位置に設けられ、前記第１ラインガイドとの間で釣糸を保持する第２ラインガイドと、前記第１ラインガイドと前記第２ラインガイドとの少なくともいずれか一方を上下方向に移動させる移動手段と、を備え、前記第１ラインガイドには、前記釣糸案内体の前方から見て、前記スプールの軸線に沿うようにして左右方向に延びるとともに左右方向の中央部に向けて下り傾斜状とされた釣糸案内面が設けられており、前記第２ラインガイドには、前記軸線に沿う釣糸案内部が設けられており、前記第１ラインガイドおよび前記第２ラインガイドは、釣糸巻き取り時に、前記移動手段により相対的に近づく方向に移動されて、前記釣糸案内面と前記釣糸案内部とで上下方向から釣糸を巻き取り可能に保持するとともに、前記中央部に前記釣糸案内部で釣糸を誘導して当該中央部に釣糸を位置決め保持するようになっており、釣糸放出時に、前記移動手段により相対的に離れる方向に移動されて、前記中央部における釣糸の位置決め保持を解除するようになっており、釣糸巻き取り時および釣糸放出時のうち少なくとも釣糸放出時に、前記釣糸案内体の前方から見て、前記第１ラインガイドと前記第２ラインガイドとで囲われる見かけ上の閉じられた釣糸挿通領域が形成されることを特徴とする。
ここで、下る傾斜面とは、直線状、湾曲状（湾曲凸条、湾曲凹状）、複数の直線を組み合わせた形状、直線と曲線とを組み合わせた形状等の傾斜面である。
また、「巻き取り可能に保持」、「位置決め保持」には、ドラグフリー状態にして釣糸を引出し可能に保持することが含まれる。
【００１１】
この魚釣用リールによれば、第１ラインガイドには、釣糸案内体の前方から見て、スプールの軸線に沿うようにして左右方向に延びるとともに左右方向の中央部に向けて下り傾斜状とされた釣糸案内面が設けられており、第２ラインガイドには、スプールの軸線に沿う釣糸案内部が設けられているので、第１ラインガイドと第２ラインガイドとが移動手段により相対的に離れる方向に移動されると、第１ラインガイドの釣糸案内面と第２ラインガイドの釣糸案内部との間には、スプールの軸線に沿うようにして左右方向に延びる横長のスペースが形成されるようになる。この横長のスペースは、釣糸放出時の釣糸の移動方向、すなわち、スプールの軸線に沿って左右方向に繰り出し位置を変えながら繰り出される釣糸の移動方向に対応したものとなっており、これによって、釣糸放出時には、横長の空間内を釣糸が左右方向に繰り出し位置を変えながら通過することとなる。
【００１２】
そして、釣糸巻き取り時には、第１ラインガイドと第２ラインガイドとが移動手段により相対的に近づく方向に移動されて、第１ラインガイドの釣糸案内面と第２ラインガイドの釣糸案内部とで上下方向から釣糸が巻き取り可能に保持され、中央部に釣糸案内部で釣糸を誘導して当該中央部に釣糸を位置決め保持することができるので、釣糸巻き取り時に釣糸は、第１ラインガイドの中央部において、左右方向の移動が規制された状態で位置決めされることとなる。
【００１３】
また、釣糸放出時には、第１ラインガイドと第２ラインガイドとが移動手段により相対的に離れる方向に移動されて、中央部における釣糸の位置決め保持を解除するようになっているので、釣糸放出時に釣糸は、中央部から外れて第１ラインガイドの釣糸案内面と第２ラインガイドの釣糸案内部との間に形成される横長のスペースに移動し、この横長のスペース内を左右方向に繰り出し位置を変えながら通過することとなる。
【００１４】
また、本発明は、前記釣糸挿通領域は、前記移動手段によって前記第１ラインガイドと前記第２ラインガイドとが相対的に移動されることで面積が変化するように構成されており、釣糸放出時における前記釣糸挿通領域の上下方向の高さをＨ１、釣糸放出時における前記釣糸挿通領域の左右方向の幅をＷ１とし、釣糸巻き取り時における前記釣糸挿通領域の上下方向の高さをＨ２、釣糸巻き取り時における前記釣糸挿通領域の左右方向の幅をＷ２としたときに、
これらの関係が、
Ｈ１  −  Ｈ２  ＜  Ｗ１  −  Ｗ２
であることを特徴とする。
【００１５】
この魚釣用リールによれば、釣糸巻き取り時における釣糸挿通領域と、釣糸放出時における釣糸挿通領域とでは、左右方向の幅の変化の大きさが上下方向の高さの変化の大きさよりも大きくなっている。
つまり、釣糸巻き取り時に、第１ラインガイドと第２ラインガイドとが移動手段により相対的に近づく方向に移動されて、釣糸挿通領域が釣糸放出時における釣糸挿通領域から釣糸巻き取り時における釣糸挿通領域にされると、前記関係により上下方向の高さの変化に対して左右方向の幅の変化が大きくなっているので、開口面積が狭まることとなり、釣糸のガイドされる領域が実質的に小さくなる。
また、釣糸放出時に、第１ラインガイドと第２ラインガイドとが移動手段により相対的に離れる方向に移動されて、釣糸挿通領域が釣糸巻き取り時の釣糸挿通領域から釣糸放出時の釣糸挿通領域にされると、前記関係により上下方向の高さの変化に対して左右方向の幅の変化が大きくなっているので、開口面積が広がることとなり、釣糸のガイドされる領域が実質的に大きくなる。
【００１６】
また、本発明は、前記釣糸案内面は直線状を呈しており、その傾斜角度は、水平面に対して１〜３０度であることを特徴とする。
【００１７】
この魚釣用リールによれば、第１ラインガイドと第２ラインガイドとが移動手段により相対的に近づく方向に移動されることにより、直線状を呈する釣糸案内面を通じて第１ラインガイドの中央部に釣糸が誘導される。
また、釣糸案内面の傾斜角度が水平面に対して１〜３０度であるので、第１ラインガイドと第２ラインガイドとの間に釣糸放出に好ましい横長の開口スペースを好適に確保することができる。
【００１８】
また、本発明は、前記第１ラインガイドの前記中央部には、釣糸巻き取り時に前記第２ラインガイドにより当該中央部に誘導された釣糸が挿入される釣糸案内溝が形成されていることを特徴とする。
【００１９】
この魚釣用リールによれば、釣糸巻き取り時に、第１ラインガイドの中央部に誘導された釣糸は、中央部に形成された釣糸案内溝に挿入され、この釣糸案内溝内に保持されて左右方向の移動が規制された状態で中央部に位置決めされることとなる。
【００２０】
また、本発明は、前記第１ラインガイドは、左右方向に横長形状とされた釣糸挿通孔を有しており、前記釣糸挿通孔の底部内面に前記釣糸案内面が設けられていることを特徴とする。
【００２１】
この魚釣用リールによれば、第１ラインガイドは、釣糸放出時の釣糸の移動方向、すなわち、スプールの軸線に沿って左右方向に繰り出し位置を変えながら繰り出される釣糸の移動方向に対応した横長の閉じられたスペースを有するものとなる。
したがって、釣糸放出時には、釣糸挿通孔内を釣糸が左右方向に繰り出し位置を変えながら通過することとなる。
【００２２】
また、本発明は、前記第２ラインガイドは、左右方向に横長形状とされ、釣糸を軸回りに囲う枠状とされていることを特徴とする。
【００２３】
この魚釣用リールによれば、第２ラインガイドは、釣糸放出時の釣糸の移動方向、すなわち、スプールの軸線に沿って左右方向に繰り出し位置を変えながら繰り出される釣糸の移動方向に対応した横長のスペースを有するものとなる。
また、釣糸放出時において釣糸が仮に左右方向に暴れたとしても、これを枠状の第２ラインガイドで好適に抑えることができる。
【００２４】
また、本発明は、前記スプールに対する釣糸の巻き取りを可能にするクラッチＯＮ状態と、前記スプールからの釣糸放出を可能にするクラッチＯＦＦ状態と、に切り換え操作可能なクラッチレバーを備え、前記第１ラインガイドと前記第２ラインガイドとの少なくともいずれか一方は、前記クラッチレバーの切り換え操作に連動して、前記クラッチＯＮ状態で前記移動手段により相対的に近づく方向に移動され、前記クラッチＯＦＦ状態で前記移動手段により相対的に離れる方向に移動されることを特徴とする。
なお、クラッチＯＮ状態にクラッチレバーを切り換え操作するという操作には、ハンドルの巻き取り回転操作により、クラッチＯＮ状態に自動的に復帰される操作が含まれる。
【００２５】
この魚釣用リールによれば、スプールに対する釣糸の巻き取りを可能にするクラッチＯＮ状態にクラッチレバーを切り換え操作することにより、第１ラインガイドと第２ラインガイドとが相対的に近づく方向に移動され、第１ラインガイドの中央部に釣糸が誘導されて保持される。
また、スプールからの釣糸放出を可能にするクラッチＯＦＦ状態にクラッチレバーを切り換え操作することにより、第１ラインガイドと第２ラインガイドとが相対的に離れる方向に移動され、第１ラインガイドの中央部から釣糸が離脱可能となる。
【００２６】
また、本発明は、前記スプールに対する釣糸の巻き取りを可能にするクラッチＯＮ状態と、前記スプールからの釣糸放出を可能にするクラッチＯＦＦ状態と、に切り換え操作可能なクラッチレバーを備え、前記リール本体には、前記クラッチレバーとは別個独立した操作部が設けられており、前記第１ラインガイドと前記第２ラインガイドとの少なくともいずれか一方は、前記操作部の操作により前記移動手段によって相対的に近づく方向または相対的に離れる方向に移動されることを特徴とする。
【００２７】
この魚釣用リールによれば、リール本体には、クラッチレバーとは別個独立した操作部が設けられており、第１ラインガイドと第２ラインガイドとの少なくともいずれか一方は、操作部の操作により移動手段によって相対的に近づく方向または相対的に離れる方向に移動されるようになっているので、例えば、クラッチＯＮ状態において、操作部を操作することにより、第１ラインガイドと第２ラインガイドとを、相対的に近づいている状態から相対的に離れる状態に移動させることができる。これによって、第１ラインガイドの中央部における釣糸の位置決め保持を解除することができ、中央部から釣糸が離脱可能となる。
【発明の効果】
【００２８】
本発明によれば、第１ラインガイドの釣糸案内面と第２ラインガイドの釣糸案内部との間には、スプールの軸線に沿うようにして左右方向に延びる横長のスペースが形成されるようになっており、釣糸放出時には、この横長のスペース内を釣糸が左右方向に繰り出し位置を変えながら通過することとなるので、第１ラインガイドおよび第２ラインガイドで釣糸を保持する構成でありながら、釣糸の接触抵抗（送出抵抗）が小さくなり、スムーズな釣糸の放出を実現することができる。
【００２９】
また、釣糸巻き取り時には、第１ラインガイドと第２ラインガイドとが移動手段により相対的に近づく方向に移動されて、第１ラインガイドと第２ラインガイドとで上下方向から釣糸が巻き取り可能に保持され、中央部に誘導された釣糸が左右方向の移動を規制された状態で位置決めされることとなるので、左右方向に往復動する釣糸案内体を介してスプールの左右に釣糸が均等に振分けられ、スプールに釣糸が均一かつ平行（平坦）に巻き取られる。これにより、スムーズな釣糸の巻き取りを実現することができる。
【００３０】
また、釣糸放出時（クラッチＯＦＦの状態にしたときや、クラッチＯＮの状態でドラグフリー状態にしたとき）には、第１ラインガイドと第２ラインガイドとが移動手段により相対的に離れる方向に移動されて、中央部における釣糸の位置決め保持が解除され、第１ラインガイドの釣糸案内面と第２ラインガイドの釣糸案内部との間に形成された横長のスペース内を釣糸が左右方向に繰り出し位置を変えながら通過することとなるので、釣糸の接触抵抗（送出抵抗）が小さくなり、スムーズな釣糸の放出を実現することができる。
なお、釣糸放出時には、第１ラインガイドと第２ラインガイドとが移動手段により相対的に離れる方向に移動されるので、これらの制約を受けずに釣糸が放出されることとなり、スムーズな釣糸の放出を実現することができる。
これにより、釣糸の放出スピードが減速され難くなり、例えば、キャスティング時の投擲距離を伸ばすことができる。また、船釣り等においては、仕掛け落下のスピードを上げることができる。
しかも、釣糸放出時にスプールから繰り出される釣糸は、釣糸挿通領域内を通じて放出されるので、釣糸放出時に釣糸が暴れてもこれを好適に抑えることができ、糸絡み等のトラブルの発生率を好適に低減することができる。
【００３１】
また、釣糸放出時における釣糸挿通領域の上下方向の高さＨ１から釣糸巻き取り時における釣糸挿通領域の上下方向の高さＨ２を減算したものよりも、釣糸放出時における釣糸挿通領域の左右方向の幅Ｗ１から釣糸巻き取り時における釣糸挿通領域の左右方向の幅Ｗ２を減算したものが大きくされている構成では、釣糸巻き取り時と釣糸放出時とで、釣糸挿通領域における左右方向の幅の変化の大きさが上下方向の高さの変化の大きさよりも大きくなっているので、釣糸巻き取り時には、釣糸のガイドされる領域が実質的に小さくなり、第１ラインガイドの中央部に釣糸が好適に位置決め保持される状態となる。これによって、スプールに釣糸が均一かつ平行（平坦）に巻回されることとなり、スムーズな釣糸の巻き取りを実現することができる。
また、釣糸放出時には、釣糸のガイドされる領域が実質的に大きくなり、特に左右方向の幅がより大きくなるので、この大きくされた釣糸挿通領域内を釣糸がスプールの幅内から左右方向に繰り出し位置を変えながら通過することとなり、釣糸の接触抵抗（送出抵抗）が小さくなってスムーズな釣糸の放出を実現することができる。したがって、釣糸の放出スピードが減速され難くなり、スムーズな釣糸の放出を実現することができる。
【００３２】
また、釣糸案内面が直線状を呈しており、その傾斜角度が水平面に対して１〜３０度である構成では、釣糸放出に好ましい横長の開口スペースを好適に確保することができるので、スムーズな釣糸の放出を実現することができる。
そして、傾斜角度が、水平面に対して１〜３０度であるので、第１ラインガイドと第２ラインガイドとが移動手段により相対的に近づく方向に移動される際に、第１ラインガイドの中央部に釣糸が好適に誘導されるようになり、当該中央部に好適に釣糸が位置決め保持される。したがって、スムーズな釣糸の巻き取りを実現することができる。
特に、傾斜角度を５度以上とすることで、強風時やリール本体を傾斜させた状態においても、中央部に釣糸を好適に誘導することができ、当該中央部により好適に釣糸を位置決め保持することができる。したがって、よりスムーズな釣糸の巻き取りを実現することができる。
また、傾斜角度を１５度以下とすることで、第１ラインガイドの釣糸案内面と第２ラインガイドの釣糸案内部との間に形成された横長のスペース内において、高さ方向のスペースが確保し易くなり、釣糸放出時の放出抵抗を可及的に小さくすることができ、これによって、スムーズな釣糸の放出を実現することができる。
また、サムレストを備えた構成においては、サムレストを低く形成したロープロファイルタイプへの利用も可能となる。
【００３３】
また、第１ラインガイドの中央部に釣糸案内溝が形成された構成では、釣糸巻き取り時に、釣糸案内溝内に釣糸が保持されることとなるので、第１ラインガイドにおける釣糸の保持範囲が精度よく管理されることとなり、スプールに釣糸が均一かつ平行（平坦）に巻回されることとなる。したがって、スムーズな釣糸の巻き取りを実現することができる。
【００３４】
また、第１ラインガイドが、左右方向に横長形状とされた釣糸挿通孔を有した構成では、釣糸放出時の釣糸の移動方向に対応した横長のスペースを有しているので、釣糸挿通孔の内面と釣糸との接触抵抗（送出抵抗）が小さくなり、スムーズな釣糸の放出を実現することができる。
【００３５】
また、第２ラインガイドが、左右方向に横長形状とされ、釣糸を軸回りに囲う枠状とされている構成では、釣糸放出時の釣糸の移動方向に対応した横長のスペースを有しているので、釣糸との接触抵抗（送出抵抗）が小さくなり、スムーズな釣糸の放出を実現することができる。
また、釣糸放出時において釣糸が仮に左右方向に暴れたとしても、これを枠状の第２ラインガイドで好適に抑えることができるので、スムーズな釣糸の放出を実現することができる。
【００３６】
また、クラッチレバーの切り換え操作に連動して第１ラインガイドと第２ラインガイドとが相対的に近づく方向または相対的に離れる方向に移動される構成では、釣糸放出（仕掛けの投入）から釣糸巻き取りまでの一連の操作をスムーズに行うことができ、操作性に優れ、釣果の向上を期待できる魚釣用リールが得られる。
【００３７】
また、クラッチレバーとは別個独立した操作部が設けられた構成では、クラッチのＯＮ状態において、ドラグフリー状態にして釣糸を放出する（送り出す）場合に、操作部を操作することにより、第１ラインガイドと第２ラインガイドとを相対的に離れる方向に移動させることで釣糸放出時の抵抗が小さくなるようにすることができる。これにより、スムーズな釣糸の放出を実現することができる。
【図面の簡単な説明】
【００３８】
【図１】本発明の第１実施形態に係る魚釣用リールの構成を示す図であり、（ａ）は前面図、（ｂ）は上面図である。
【図２】（ａ）はリール本体の内部構造を示す上面図、（ｂ）ラインガイドとスプールとの関係を示す前面図、（ｃ）はラインガイドの詳細を示す前面図である。
【図３】（ａ）はリール本体の要部を示す縦断面図、（ｂ）はクラッチ機構を示す説明図である。
【図４】（ａ）〜（ｃ）は釣糸巻き取り時における各部の位置関係を示す説明図、（ｄ）〜（ｆ）は釣糸放出時における各部の位置関係を示す説明図である。
【図５】（ａ）〜（ｃ）は釣糸巻き取り時におけるラインガイドの位置を示す上面図、（ｄ）は釣糸放出時における釣糸の左右方向の動きを示す上面図である。
【図６】（ａ）〜（ｃ）は変形例に係る釣糸巻き取り時における各部の位置関係を示す説明図である。
【図７】本発明の第２実施形態に係る魚釣用リールの構成を示す図であり、（ａ）〜（ｃ）は釣糸巻き取り時における各部の位置関係を示す説明図、（ｄ）〜（ｆ）は釣糸放出時における各部の位置関係を示す説明図である。
【図８】本発明の第３実施形態に係る魚釣用リールの構成を示す図であり、（ａ）は前面図、（ｂ）は上面図である。
【図９】（ａ）〜（ｃ）は釣糸巻き取り時における各部の位置関係を示す説明図、（ｄ），（ｅ）は釣糸放出時における各部の位置関係を示す説明図である。
【図１０】（ａ）はサムレストの構造を示した側断面図、（ｂ）は図１０（ａ）におけるＡ−Ａ線模式断面図である。
【図１１】本発明の第４実施形態に係る魚釣用リールの構成を示す図であり、（ａ）は前面図、（ｂ）は上面図である。
【図１２】（ａ）〜（ｃ）は釣糸巻き取り時における各部の位置関係を示す説明図、（ｄ），（ｅ）は釣糸放出時における各部の位置関係を示す説明図である。
【図１３】本発明の第５実施形態に係る魚釣用リールの構成を示す図であり、（ａ）は前面図、（ｂ）は上面図である。
【図１４】（ａ），（ｂ）は釣糸巻き取り時における各部の位置関係を示す説明図、（ｃ），（ｄ）は釣糸放出時における各部の位置関係を示す説明図である。
【図１５】本発明の第６実施形態に係る魚釣用リールの構成を示す図であり、（ａ）は前面図、（ｂ）は上面図である。
【図１６】（ａ）〜（ｃ）は釣糸巻き取り時における各部の位置関係を示す説明図であり、（ｃ）は図１６（ｂ）におけるＢ−Ｂ線拡大断面図である。（ｄ），（ｅ）は釣糸放出時における各部の位置関係を示す説明図である。
【図１７】本発明の第７実施形態に係る魚釣用リールの構成を示す図であり、（ａ）は前面図、（ｂ）は上面図である。
【図１８】（ａ）〜（ｃ）は変形例に係るラインガイドを示す説明図である。
【発明を実施するための形態】
【００３９】
以下、本発明に係る魚釣用リールの実施形態について図面を参照しながら説明する。なお、以下の説明において、「前後」「左右」「上下」を言うときは、図１に示した方向を基準とする。なお、説明において、同一の要素には同一の符号を用い、重複する説明は省略する。
【００４０】
（第１実施形態）
図１に示すように、魚釣用リールのリール本体１は、釣糸が巻回されるスプール５を回転可能に支持した左右側板２Ａ，２Ｂを備え、図２（ａ）に示すように、右側板２Ｂに設けた駆動機構１０と、スプール５の前方において、駆動機構１０のハンドル軸７ａの回転操作に連動して左右方向に往復動可能に設けられ、スプール５に釣糸を平行に巻回する釣糸案内体２２と、この釣糸案内体２２に設けられた第１ラインガイドとしてのラインガイド２３と、を備えている。
そして、ラインガイド２３の後方における近傍位置には、スプール５の軸線Ｏ１（図２（ｂ）参照）に沿う釣糸案内部３１（図２（ｂ）参照）を備えた第２ラインガイドとしてのピラー３０が上下方向に移動可能に設けられている。
ここで、リール本体１の「側板」は、図１（ｂ）に示すように、スプール５の軸方向の両端に位置する部材であり、本実施形態では、各種部材が支持されるフレーム体を構成する左右フレーム２ａ，２ｂと、これら左右フレーム２ａ，２ｂに所定の空間をもって夫々装着される左右外側板（カバー体）３ａ，３ｂとから構成される。左右フレーム２ａ，２ｂと左右外側板３ａ，３ｂとの間には内部空間が形成され、この内部空間には、図２（ａ）に示すように、駆動機構１０、クラッチ機構５０（図３（ｂ）参照）、図示しないバックラッシュ防止機構７０（図２（ａ）参照）等が設置されるようになっている。なお、左右フレーム２ａ，２ｂと外側板３ａ，３ｂとの形状については、適宜変形することが可能であり、それらを構成する材料は適宜設定することができる。また、これらの装着方法や装着位置についても、リール本体１の構成等により、種々の方法を用いることが可能である。
【００４１】
左右フレーム２ａ，２ｂは、複数の支柱を介して一体化されており、図１（ａ）に示すように、下部の支柱２ｃには、釣竿のリールシート（不図示）に装着される釣竿取付脚１ａが設けられている。
また、左右フレーム２ａ，２ｂ間には、図２（ａ）に示すように、軸受５ａ，５ｂを介してスプール軸５ｃが回転可能に支持されており、このスプール軸５ｃにスプール５が取り付けられている。
スプール５は、ハンドル７を回転操作することによって回転させることができるように構成されており、ハンドル７は、外側板３ｂから突出したハンドル軸７ａの端部に取り付けられ、外側板３ｂとの間に介在された逆転防止機構７ｂ（転がり式一方向クラッチ）によって、釣糸巻き取り方向にのみ回転可能となっている。
なお、スプール軸５ｃを回転可能に支持する軸受５ａ，５ｂは、左右フレーム２ａ，２ｂの部分に配設されていてもよいし、外側板３ａ，３ｂの部分に配設されていてもよい。
【００４２】
右フレーム２ｂと外側板３ｂとの間には、ハンドル７の回転運動をスプール軸５ｃ、および後記するレベルワインド機構２０の螺軸２１に伝達する駆動機構１０、駆動力の伝達を継脱するクラッチ機構５０（図３（ｂ）参照）のほか、魚釣時にスプール５から釣糸が繰り出された際に、スプール５にドラグ力を付与するドラグ機構６０等が収容されている。
【００４３】
駆動機構１０は、公知のように、ハンドル軸７ａに回転可能に支持された駆動歯車１１と、この駆動歯車１１に噛合するピニオン１２とを備えている。ピニオン１２は、スプール軸５ｃと同軸上に設置されており、ピニオン軸１２ｃに沿って軸方向に移動可能となっている。また、ピニオン１２の外周には、円周溝１２ａが形成されており、この円周溝１２ａに、クラッチ機構５０のヨーク５７（図３（ｂ）参照）が係合して、ピニオン１２を軸方向に移動させるようになっている。すなわち、ピニオン１２が軸方向に移動することで、スプール軸５ｃとの間で継脱がなされ、動力伝達状態（クラッチＯＮ状態）／動力遮断状態（クラッチＯＦＦ状態）に切り換えられるようになっている。
【００４４】
スプール５の前方において、リール本体１の左右側板２Ａ，２Ｂ間には、レベルワインド機構２０が配置されている。レベルワインド機構２０は、駆動機構１０を介して回転駆動される螺軸２１と、螺軸２１に装着されて左右方向に往復動可能に設けられた釣糸案内体２２とを備えている。
螺軸２１は、左右側板２Ａ，２Ｂ間に回転可能に支持されており、駆動機構１０を介して回転駆動されるようになっている。螺軸２１の端部には、連動歯車２１ａが取り付けられており、この連動歯車２１ａには、ハンドル軸７ａの駆動歯車１１に隣接して設けられた歯車１１ａが噛合している。これにより、ハンドル７を巻き取り回転操作すると、ハンドル軸７ａの回転が、歯車１１ａおよび連動歯車２１ａを通じて螺軸２１に伝わり、螺軸２１が回転駆動される。
【００４５】
螺軸２１の外周面には、螺旋溝２１ｂが形成されており、この螺旋溝２１ｂには、釣糸案内体２２に設けられた摺動子２６（図３（ａ）参照、以下同じ）が係合している。このような螺軸２１は、左右側板２Ａ，２Ｂ間に架け渡された筒体２５（図３（ａ）参照、以下同じ）内に収容されている。
筒体２５は、図３（ａ）に示すように、断面Ｃ字形状を呈して軸方向に延出する開口２５ａを有しており、この開口２５ａを通じて螺旋溝２１ｂが部分的に露出している。
【００４６】
また、釣糸案内体２２は、樹脂で形成され、左右側板２Ａ，２Ｂ間において、螺軸２１と平行に設けられたガイド軸２２ａに支持されており、下部が筒体２５を囲繞するようにしてこれに回り止め保持されている。そして、釣糸案内体２２の下部には、筒体２５の開口２５ａを通じて前記したように螺旋溝２１ｂと係合する摺動子２６が配置されている。なお、摺動子２６は、袋ナット２６ａによって釣糸案内体２２に固定されている。
これにより、釣糸案内体２２は、螺軸２１が連動歯車２１ａによって回転駆動されることで、螺旋溝２１ｂに係合する摺動子２６を介してガイド軸２２ａに沿って左右往復動するようになっている。
【００４７】
釣糸案内体２２の上部には、釣糸を案内するためのラインガイド２３が一体的に設けられている。つまり、ラインガイド２３は、上下方向移動不能に設けられている。
ラインガイド２３は、図２（ｂ）に示すように、スプール５の軸線Ｏ１に沿うようにして左右方向に横長形状とされており、釣糸案内体２２の左右方向に二又に延びる延設部２３ａ，２３ａと、延設部２３ａ，２３ａの左右端部から上方へ向けて立ち上げられた左側部２３ｂ，右側部２３ｃと、を備え、上方が開放された略コ字形状を呈している。つまり、ラインガイド２３は、その内側に、左右方向に横長の略コ字形状とされた釣糸受け面を有している。
ラインガイド２３は、釣糸案内体２２の前方から見て、図２（ｃ）に示すように、左右開口幅D１が上下開口高さＨ１（ラインガイド２３の中央部２４ｃ’における最大開口高さ）に比べて、大きくなるように形成されている。
【００４８】
延設部２３ａ，２３ａの上面（釣糸案内面２４ｃ）は、左右方向の中央部２４ｃ’に向けて緩やかに直線状に下る傾斜面（凹凸のない面）とされている。
ここで、延設部２３ａ，２３ａの釣糸案内面２４ｃの傾斜角度θは、図２（ｃ）に示すように、水平面に対して１〜３０度の範囲に設定されるのが好ましく、より好ましくは、５〜１５度の範囲に設定されるのがよい。
また、釣糸案内面２４ｃは、前後方向にも直線状（凹凸のない面）に形成されている。
左側部２３ｂ，右側部２３ｃは、上方へ向けて鉛直に立ち上げられており、図２（ｂ）に示すように、スプール５のフランジ５ｄと略同じ高さを有するように形成されている。
なお、延設部２３ａ，２３ａと左側部２３ｂ，右側部２３ｃとの角部は、いずれもアール状とされている。
なお、釣糸案内面２４ｃは、左右方向に直線状とされたものに限られることはなく、左右方向に湾曲状（湾曲凸条、湾曲凹状）、左右方向に複数の直線を組み合わせた形状、さらに、左右方向に直線と曲線とを組み合わせた形状等、種々採用することができる。
また、釣糸案内面２４ｃは、必ずしも前後方向に直線状を有しなくてもよいが、本実施形態のように、直線状として前後方向に奥行きをもたせることで、よりスムーズに釣糸を中央部２４ｃ’に導くことが可能となる。
【００４９】
延設部２３ａ，２３ａの中央部２４ｃ’には、釣糸巻き取り時に釣糸を位置決め保持する釣糸案内溝２４ｄが形成されている。釣糸案内溝２４ｄは、中央部２４ｃ’から下方へ向けて湾曲凹状に切り欠かれた溝であり、図３（ａ）に示すように、中央部２４ｃ’の前後方向に亘って延設されている。釣糸案内溝２４ｄ内には、後記するクラッチレバー５３の操作時に、下方へ向けて移動してきたピラー３０によって、ラインガイド２３の内側を（後記する釣糸挿通領域２４内を）中央部２４ｃ’に向けて誘導されてきた釣糸が挿入されるようになっている（図４（ａ）〜（ｃ）参照）。
【００５０】
このようなラインガイド２３は、左右方向に横長形状とされているので、釣糸巻き取り時のハンドル７の回転操作により、ガイド軸２２ａ（図３（ａ）参照）に沿って左右往復動された際に、図５（ｂ）（ｃ）に示すように、その左側部２３ｂおよび右側部２３ｃが左右フレーム２ａ，２ｂに掛かる位置まで移動するようになっている。このようなラインガイド２３の移動を可能とするために、リール本体１のサムレスト４の前端左右には、図１（ａ）（ｂ）に示すように、切欠部４ａ，４ｂが形成されている。
【００５１】
ピラー３０は、図１（ａ）（ｂ）、図３（ａ）に示すように、円柱状の棒状部材であり、スプール５とラインガイド２３との間におけるラインガイド２３の後方の近傍位置において上下方向に移動可能に配置され、下方向に移動された際にラインガイド２３との間で釣糸を保持するようになっている。
ピラー３０は、図３（ｂ）に示すように、クラッチ機構５０のクラッチ駆動部材５１（移動手段）に一体的に設けられた腕部５１ａに対して一端部が支持されており、後記するようにクラッチ駆動部材５１が駆動されることにより、左右フレーム２ａ，２ｂに形成された湾曲長溝２ａ’，２ｂ’（図３（ａ）参照、一方のみ図示）に沿うようにして上下方向に移動可能に設けられている。
ピラー３０は、図２（ｂ）に示すように、スプール５の軸線Ｏ１に沿う水平直線状の釣糸案内部３１（下部外周面、図３（ａ）参照）を備えており、スプール５とラインガイド２３との間において、この釣糸案内部３１で釣糸を押下可能である。
なお、ピラー３０は、円柱状の棒状部材とされたものに限られることはなく、釣糸を押下可能な釣糸案内部３１を有する板状としてもよい。また、釣糸案内部３１としては、左右方向に直線状とされたものに限られることはなく、左右方向に傾斜する直線状、湾曲状（湾曲凸条、湾曲凹状）、左右方向に複数の角度の直線を例えば連続して組み合わせた形状、左右方向に直線と曲線とを組み合わせた形状等としてもよい。
【００５２】
このようなピラー３０は、クラッチ機構５０により、スプール５に対する釣糸の巻き取りを可能にするクラッチＯＮ状態（釣糸巻き取り時）で下方向に移動する（ラインガイド２３と相対的に近づく方向に移動する）ようになっており、その際に、ラインガイド２３の内側に挿通された釣糸を中央部２４ｃ’に誘導し、当該中央部２４ｃ’（釣糸案内溝２４ｄ）に釣糸を巻き取り可能に保持しつつ位置決め保持する第１の位置を採るようになっている。また、ピラー３０は、スプール５から釣糸の繰り出しを可能にするクラッチＯＦＦ状態（釣糸放出時）で上方向に移動する（ラインガイド２３と相対的に離れる方向に移動する）ようになっており、その際に第１の位置から退避して前記した釣糸の位置決め保持を解除する第２の位置を採るようになっている。
【００５３】
ここで、ピラー３０は、図３（ａ）に示すように、スプール軸５ｃの軸心Ｏ２を通る水平面（不図示）よりも上方となる領域において、上下移動可能に設けられており、これによって、第１の位置から第２の位置に向かう上方向の移動時には、上方向の移動成分とともに後方のスプール５に近づく方向の移動成分を含んで移動するようになっている。
これにより、スプール５から繰り出される釣糸が遠心力により仮に上下方向に膨らんでも（暴れても）、これをスプール５に近づいたピラー３０で好適に抑えることができる。
なお、ピラー３０が、スプール５とラインガイド２３との間に配置されているので、釣糸放出時に釣糸が遠心力により仮に上下方向に膨らんでも（暴れても）、これをピラー３０で好適に抑えることができる。
【００５４】
また、ピラー３０は、図３（ｂ）に示すように、第２の位置から第１の位置に向かう下方向の移動時に、下方向の移動成分とともに前方のラインガイド２３に近づく方向の移動成分を含んで移動するようになっている。
これにより、ラインガイド２３の中央部２４ｃ’に釣糸を好適に誘導して当該中央部２４ｃ’に釣糸を好適に位置決め保持することができる。したがって、左右方向の移動が規制された状態で釣糸がラインガイド２３（釣糸案内溝２４ｄ）に位置決めされる。
【００５５】
本実施形態では、クラッチ駆動部材５１の腕部５１ａに対して、ピラー３０が軸受３０ａ，３０ｂ（図１（ｂ）参照）を介して軸回りに回動可能に支持されており、これによって、釣糸巻き取り時の巻き取り抵抗および釣糸放出時の放出抵抗が低減されるようになっている。
【００５６】
クラッチ機構５０は、図３（ｂ）に示すように、右フレーム２ｂに沿って回動可能に支持されたクラッチ駆動部材５１と、このクラッチ駆動部材５１を駆動するクラッチレバー５３とを含んで構成されている。
【００５７】
クラッチ駆動部材５１は、公知のように、右フレーム２ｂに対して回動可能に支持され、振分けバネ５６によって、図３（ｂ）において実線で示した動力伝達状態（クラッチＯＮ状態）と、図３（ｂ）において二点鎖線で示した動力遮断状態（クラッチＯＦＦ状態）とに振分け保持されるようになっている。また、クラッチ駆動部材５１の表面には、ピニオン１２（図２（ａ）参照、以下同じ）の円周溝１２ａ（図２（ａ）参照）に嵌合したヨーク５７と係合可能な一対のカム面５８，５８が形成されている。
そして、クラッチ駆動部材５１の前部には、前方へ向けて延設された腕部５１ａが一体的に設けられており、この腕部５１ａの先端部に、前記したようにピラー３０の一端部が支持されている。
【００５８】
ヨーク５７の先端側は、右フレーム２ｂに突設された支持ピン５９，５９によって保持されており、ヨーク５７は、各支持ピン５９，５９に配設されたバネ部材（図示せず）によって常時、クラッチ駆動部材５１側に付勢された状態となっている。なお、図３（ｂ）では、ヨーク５７が不図示のバネ部材によってクラッチ駆動部材５１側に付勢された状態を示しており、このとき、ピニオン１２は、スプール軸５ｃの端部に形成されている係合部に嵌合してクラッチＯＮ状態となっている。
【００５９】
クラッチ駆動部材５１の後端部は、支持部材５３ａを介してクラッチレバー５３と連結されており、図３（ｂ）において矢印Ｘ１で示すように、クラッチレバー５３が押下げ操作されると、クラッチ駆動部材５１は、図中反時計回り方向に回動され、ヨーク５７を介して、ピニオン１２をスプール軸５ｃの端部に形成されている係合部から離脱させる（クラッチＯＦＦ状態に切り換える）ように作用する。また、この状態は、振分けバネ５６によって保持される。
また、このようなクラッチレバー５３の押下げ操作によって、クラッチ駆動部材５１が図中反時計回り方向に回動されると、腕部５１ａの先端部が上方向に移動し、これによって、ピラー３０が上方向に移動して第２の位置に配置される。
つまり、クラッチレバー５３を操作することで、クラッチ駆動部材５１は、クラッチＯＮ状態（釣糸巻き取り位置）と、クラッチＯＦＦ状態（釣糸放出位置）と、に位置決めされるようになっており、この位置決めに連動して、ピラー３０が第１の位置と第２の位置とに位置決めされるようになっている。
【００６０】
次に、スプール５、ラインガイド２３およびピラー３０の高さの関係について、図４を参照して説明する。
図４（ａ）〜（ｃ）は釣糸巻き取り時における各部の位置関係を示した図であり、クラッチ機構５０（図３（ｂ）参照）が動力伝達状態（クラッチＯＮ状態）とされて、ピラー３０が第１の位置に配置されている状態を示している。
【００６１】
ここで、リール本体１の釣竿取付脚１ａの下面を基準として、スプール５の釣糸巻回位置５ｅまでの高さをｈ１、ピラー３０の釣糸案内部３１（図３（ａ）参照、以下同じ）までの高さをｈ２、ラインガイド２３の左側部２３ｂ（右側部２３ｃ）の上端部までの高さをｈ３、ラインガイド２３の中央部２４ｃ’までの高さをｈ４、としたときに、釣糸巻き取り時には、次式（１）かつ（２）の関係を有するように設定されている。
なお、釣糸巻回位置は、通常、規定の釣糸量を巻いたときの外径に相当しており、また、その位置が明確でない場合においては、スプールの最大外径（＝フランジ５ｄの外径）の９８％で定義される径位置とする。
ｈ１  ≧  ｈ３  ＞  ｈ２        ・・・（１）
ｈ４  ≧  ｈ２                  ・・・（２）
【００６２】
すなわち、釣糸巻き取り時においては、リール本体１の下端部を基準として、スプール５の釣糸巻回位置５ｅまでの高さｈ１以下となるように、ラインガイド２３の左側部２３ｂ（右側部２３ｃ）の上端部までの高さｈ３が設定され、さらにこの高さｈ３よりも低くなるようにピラー３０の釣糸案内部３１までの高さｈ２が設定されている。そして、さらに、ピラー３０の釣糸案内部３１までの高さｈ２は、ラインガイド２３の中央部２４ｃ’までの高さｈ４以下となるように設定されている。
これにより、ピラー３０は、第１の位置に移動されると、ラインガイド２３の左側部２３ｂ（右側部２３ｃ）の上端部よりも低い位置において、中央部２４ｃ’と同じかこれよりも低くなる位置に釣糸案内部３１が位置する状態となる。
【００６３】
したがって、クラッチレバー５３の操作やハンドル７の操作によってクラッチＯＦＦ状態からクラッチＯＮ状態に切り換えられると、第２の位置から第１の位置にピラー３０が移動する過程で釣糸案内部３１により釣糸が押し下げられ、その際に、釣糸は、ラインガイド２３の延設部２３ａ，２３ａの釣糸案内面２４ｃに沿って中央部２４ｃ’に向けて移動する。そして、ピラー３０が第１の位置まで移動されることで、釣糸案内溝２４ｄ内に釣糸が誘導される。これによって、ラインガイド２３とピラー３０とに保持されるようにして、釣糸は釣糸案内溝２４ｄ内に好適に位置決め保持（巻き取り可能に保持）される。
【００６４】
このように、釣糸案内溝２４ｄ内に釣糸が位置決め保持された状態で、前記式（１）（２）により、釣糸には、ピラー３０の釣糸案内部３１による押圧でテンションが付与された状態となる。したがって、釣糸巻き取り時には、ピラー３０で押さえられて釣糸が暴れ難くなり、これによって、釣糸案内溝２４ｄ内から釣糸が外れ難くなる。
【００６５】
ここで、リール本体１の下端部を基準として、釣糸案内溝２４ｄの底部までの高さをｈ０とすると、釣糸巻き取り時には、次式（３）の関係を有するように設定されることが特に好ましい。
ｈ４  ≧  ｈ２  ＞  ｈ０        ・・・（３）
【００６６】
この場合には、ラインガイド２３の中央部２４ｃ’までの高さｈ４以下となるように、ピラー３０の釣糸案内部３１までの高さｈ２が設定され、さらにこの高さｈ２よりも低くなるように釣糸案内溝２４ｄの底部までの高さｈ０が設定されることとなる。これによって、ピラー３０は、第１の位置に移動されると、ラインガイド２３の中央部２４ｃ’と同じかまたはそれよりも低い位置において、釣糸案内溝２４ｄの底部よりも高い位置に釣糸案内部３１が位置する状態となる。
したがって、釣糸案内溝２４ｄ内に釣糸が確実に位置決め保持されるようになり、釣糸案内溝２４ｄ内から釣糸がより一層外れ難くなる。
【００６７】
一方、図４（ｄ）〜（ｆ）は釣糸放出時における各部の高さの関係を示した図であり、クラッチ機構５０（図３（ｂ）参照）が動力遮断状態（クラッチＯＦＦ状態）とされて、ピラー３０が第２の位置に配置されている状態を示している。
ここで、釣糸巻き取り時には、次式（４）かつ（５）の関係を有するように設定されている。
ｈ１  ≧  ｈ３                  ・・・（４）
ｈ３  ＞  ｈ２                  ・・・（５）
【００６８】
すなわち、釣糸放出時において、リール本体１の下端部を基準として、スプール５の釣糸巻回位置５ｅまでの高さｈ１以下となるように、ラインガイド２３の左側部２３ｂ（右側部２３ｃ）の上端部までの高さｈ３が設定され、かつ、ピラー３０の釣糸案内部３１までの高さｈ２がラインガイド２３の左側部２３ｂ（右側部２３ｃ）の上端部までの高さｈ３よりも小さくなるように設定されている。
これにより、ピラー３０は、第２の位置に移動されると、スプール５の釣糸巻回位置５ｅと同じかまたはこれよりも低い位置において、ラインガイド２３の左側部２３ｂ（右側部２３ｃ）の上端部よりも低い位置に釣糸案内部３１が位置する状態となる。
【００６９】
したがって、クラッチレバー５３の操作によってクラッチＯＮ状態からクラッチＯＦＦ状態に切り換えられると、第１の位置から第２の位置にピラー３０が移動して退避される過程で、釣糸案内溝２４ｄ内における釣糸の位置決め保持が解除され、前記式（４）の関係により、ラインガイド２３内の上部の横長のスペースに釣糸が移動することとなる。したがって、スムーズな釣糸の放出を行うことができる。
また、第２の位置にピラー３０が移動した状態では、前記式（４）（５）の関係から、図４（ｅ）（ｆ）に示すように、釣糸案内体２２の前方から見て、ラインガイド２３とピラー３０とで囲われる見かけ上の閉じられた釣糸挿通領域２４が形成されるようになっている。したがって、スプール５から繰り出される釣糸は、この釣糸挿通領域２４内を通じて放出される。これによって、放出時に釣糸が暴れてもこれを好適に抑えることができ、糸絡み等のトラブルの発生率を好適に低減することができる。
【００７０】
ここで、釣糸挿通領域２４は、ラインガイド２３に対してピラー３０が上下移動されることにより、開口面積が変化することとなるが、図４（ｆ）に示すように、釣糸放出時における釣糸挿通領域２４の上下方向の高さをＨ１、釣糸挿通領域２４の左右方向の幅をＷ１とし、図４（ｃ）に示すように、釣糸巻き取り時における釣糸挿通領域２４の上下方向の高さ（深さ）をＨ２、釣糸挿通領域２４の左右方向の幅をＷ２としたときに、これらの関係が次式（６）の関係を有するように設定されている。
Ｈ１  −  Ｈ２  ＜  Ｗ１  −  Ｗ２            ・・・（６）
【００７１】
これにより、釣糸巻き取り時における釣糸挿通領域２４と、釣糸放出時における釣糸挿通領域２４とでは、左右方向の幅の変化の大きさが上下方向の高さの変化の大きさよりも大きくなっている。
つまり、釣糸巻き取り時に、ラインガイド２３とピラー３０とが相対的に近づく方向に移動されて、釣糸挿通領域２４が釣糸放出時における釣糸挿通領域２４（図４（ｆ）参照）から釣糸巻き取り時における釣糸挿通領域２４（図４（ｃ）参照）にされると、前記関係により上下方向の高さの変化に対して左右方向の幅の変化が大きくなっているので、開口面積が狭まることとなり、釣糸のガイドされる領域（釣糸挿通領域２４）が実質的に小さくなる。
また、釣糸放出時に、ラインガイド２３とピラー３０とが相対的に離れる方向に移動されて、釣糸挿通領域２４が釣糸巻き取り時の釣糸挿通領域２４（図４（ｃ）参照）から釣糸放出時の釣糸挿通領域２４（図４（ｆ）参照）にされると、前記関係により上下方向の高さの変化に対して左右方向の幅の変化が大きくなっているので、開口面積が広がることとなり、釣糸のガイドされる領域（釣糸挿通領域２４）が実質的に大きくなる（特に左右方向の幅がより大きくなる）。
【００７２】
なお、釣糸案内面２４ｃが傾斜面とされ、釣糸案内部３１がスプール５の軸線Ｏ１に沿う直線状とされていることから、釣糸案内面２４ｃにピラー３０が掛かるようにして釣糸挿通領域２４が設定される範囲においては、釣糸巻き取り時にクラッチＯＮによるピラー３０の移動によって、釣糸挿通領域２４の上下方向の開口面積が狭まると、左右方向の開口面積がこれよりも大きな割合で狭まることとなり、これによって、中央部２４ｃ’に向けて釣糸が速やかに誘導されることとなる。
また、釣糸放出時には、クラッチＯＦＦによるピラー３０の移動により釣糸巻き取り時とは逆に釣糸挿通領域２４の上下方向の開口面積が広がると、左右方向の開口面積がこれよりも大きな割合で広がることとなり、ラインガイド２３の中央部２４ｃ’における釣糸の位置決め保持が速やかに解除されることとなる。
【００７３】
なお、釣糸巻き取り時には、図５（ａ）〜（ｃ）に示すように、ハンドル７の巻き取り回転操作により、ラインガイド２３が左右方向に往復移動し、ラインガイド２３の釣糸案内溝２４ｄに位置決め保持（巻き取り可能に保持）された釣糸が、ピラー３０を介してスプール５に略平行に巻回される。
【００７４】
本実施形態では、ラインガイド２３の釣糸案内溝２４ｄが、スプール５の巻回幅いっぱいに往復移動して、釣糸をスプール５に案内するように位置調整されている。
その際、ラインガイド２３は、図５（ｂ）（ｃ）に示すように、その左側部２３ｂおよび右側部２３ｃが、左右フレーム２ａ，２ｂに掛かる位置まで移動し、リール本体１のサムレスト４の前端左右に形成された切欠部４ａ，４ｂに逃がされる。
これによって、横長形状とされたラインガイド２３の左右方向の往復移動が確保され、釣糸案内溝２４ｄがスプール５の巻回幅いっぱいに往復移動可能となる。
【００７５】
また、釣糸放出時には、図５（ｄ）に示すように、ラインガイド２３の釣糸挿通孔２４の左右開口の範囲内で釣糸が放出可能である。
なお、図５（ｄ）では、ラインガイド２３が略中央に位置した場合を示したが、図５（ｂ）に示すように、左端にラインガイド２３が移動した場合や、図５（ｃ）に示すように、右端にラインガイド２３が移動した場合においても、ラインガイド２３の釣糸挿通孔２４の略半分の開口領域がスプール５の軸方向の巻回範囲に対応したものとなっているので、スムーズな釣糸の繰り出しが可能である。
【００７６】
以上説明した本実施形態の魚釣用リールによれば、ラインガイド２３の釣糸案内面２４ｃとピラー３０の釣糸案内部３１との間には、スプール５の軸線Ｏ１に沿うようにして左右方向に延びる横長のスペースが形成されるようになっており、釣糸放出時には、この横長のスペース内を釣糸がスプール５の幅内から左右方向に繰り出し位置を変えながら通過することとなるので、ラインガイド２３およびピラー３０で釣糸を保持する構成でありながら、釣糸の接触抵抗（送出抵抗）が小さくなり、スムーズな釣糸の放出を実現することができる。
【００７７】
また、釣糸巻き取り時には、相対的に近づく方向に移動されたラインガイド２３の釣糸案内面２４ｃとピラー３０の釣糸案内部３１とで上下方向ら釣糸が巻き取り可能に保持されるとともに、中央部２４ｃ’に誘導された釣糸が左右方向の移動を規制された状態で当該中央部２４ｃ’に位置決め保持されることとなるので、左右方向に往復動する釣糸案内体２２を介してスプール５の左右に釣糸が均等に振分けられ、スプール５に釣糸が均一かつ平行（平坦）に巻き取られる。これにより、スムーズな釣糸の巻き取りを実現することができる。
【００７８】
また、釣糸放出時（クラッチＯＦＦの状態にしたときや、クラッチＯＮの状態でドラグフリー状態にしたとき）には、ラインガイド２３とピラー３０とが相対的に離れる方向に移動されて、中央部２４ｃ’における釣糸の位置決め保持が解除され、ラインガイド２３の釣糸案内面２４ｃとピラー３０の釣糸案内部３１との間に形成された横長のスペース内を釣糸がスプール５の幅内から左右方向に繰り出し位置を変えながら通過することとなるので、釣糸の接触抵抗（送出抵抗）が小さくなり、スムーズな釣糸の放出を実現することができる。
なお、釣糸放出時には、ラインガイド２３とピラー３０とが相対的に離れる方向に移動されるので、これらの制約を受けずに釣糸が放出されることとなり、スムーズな釣糸の放出を実現することができる。
これにより、釣糸の放出スピードが減速され難くなり、例えば、キャスティング時の投擲距離を伸ばすことができる。また、船釣り等においては、仕掛け落下のスピードを上げることができる。
【００７９】
また、釣糸巻き取り時と釣糸放出時とで、釣糸挿通領域２４における左右方向の幅の変化の大きさが上下方向の高さの変化の大きさよりも大きくなっているので、釣糸巻き取り時には、釣糸のガイドされる領域（釣糸挿通領域２４（図４（ａ）参照））が実質的に小さくなり、ラインガイド２３の中央部２４ｃ’の釣糸案内溝２４ｄに釣糸が好適に位置決め保持される状態となる。これによって、スプールに釣糸が均一かつ平行（平坦）に巻回されることとなり、スムーズな釣糸の巻き取りを実現することができる。
また、釣糸放出時には、釣糸のガイドされる領域（釣糸挿通領域２４（図４（ｆ）参照））が実質的に大きくなり、特に左右方向の幅がより大きくなるので、この大きくされた釣糸挿通領域２４内を釣糸がスプール５の幅内から左右方向に繰り出し位置を変えながら通過することとなり、釣糸の接触抵抗（送出抵抗）が小さくなってスムーズな釣糸の放出を実現することができる。したがって、釣糸の放出スピードが減速され難くなり、スムーズな釣糸の放出を実現することができる。
【００８０】
また、釣糸案内面２４ｃが直線状を呈しており、その傾斜角度が、水平面に対して１〜３０度であるので、釣糸放出に好ましい横長の開口スペースを好適に確保することができ、スムーズな釣糸の放出を実現することができる。
そして、傾斜角度が、水平面に対して１〜３０度であるので、ラインガイド２３とピラー３０とが相対的に近づく方向に移動される際に、ラインガイド２３の中央部２４ｃ’に釣糸が好適に誘導されるようになり、当該中央部２４ｃ’に好適に釣糸が位置決め保持される。したがって、スムーズな釣糸の巻き取りを実現することができる。
特に、傾斜角度を５度以上とすることで、強風時やリール本体１を傾斜させた状態においても、中央部２４ｃ’に釣糸を好適に誘導することができ、当該中央部２４ｃ’に、より好適に釣糸を位置決め保持することができる。したがって、よりスムーズな釣糸の巻き取りを実現することができる。
また、傾斜角度を１５度以下とすることで、ラインガイド２３の釣糸案内面２４ｃとピラー３０の釣糸案内部３１との間に形成された横長のスペース内において、高さ方向のスペースが確保し易くなり、釣糸放出時の放出抵抗を可及的に小さくすることができ、これによって、スムーズな釣糸の放出を実現することができる。
また、サムレスト４０を低く形成したロープロファイルタイプへの利用も可能となる。
【００８１】
また、ラインガイド２３の中央部２４ｃ’に釣糸案内溝２４ｄが形成されているので、釣糸巻き取り時に、釣糸案内溝２４ｄ内に釣糸が好適に位置決め保持され、釣糸案内溝２４ｄ内における釣糸の保持範囲が精度よく管理されることとなる。これにより、スプール５に釣糸が均一かつ平行（平坦）に巻回されることとなる。したがって、スムーズな釣糸の巻き取りを実現することができる。
【００８２】
また、クラッチレバー５３の切り換え操作に連動してピラー３０が移動されるので、釣糸放出（仕掛けの投入）から釣糸巻き取りまでの一連の操作をスムーズに行うことができ、操作性に優れ、釣果の向上を期待できる魚釣用リールが得られる。
【００８３】
さらに、ピラー３０が、回転可能に支持されているので、釣糸巻き取り時の巻き取り抵抗および釣糸放出時の放出抵抗が低減され、スムーズな釣糸の放出および巻き取りを実現することができる。
また、ピラー３０が、回転可能に支持されているので、釣糸に対して好適にテンションを付与することが可能であり、軽い仕掛けを用いた釣種においても、スプール５に対して巻き崩れを生じることなく釣糸を巻回することができる。
【００８４】
また、釣糸巻き取り時において、前記式（１）かつ（２）の関係を有するように設定されているので、釣糸案内溝２４ｄ内に釣糸が確実に位置決め保持され、釣糸案内溝２４ｄに釣糸が好適に位置決めされて、スムーズな釣糸の巻き取りを実現することができる。
また、釣糸放出時において、前記式（４）かつ（５）の関係を有するように設定されているので、釣糸が遠心力により上下方向に膨らみ易い部分において、釣糸の暴れを好適に抑えることができる。したがって、スムーズな釣糸の放出を実現することができる。
【００８５】
図６（ａ）〜（ｃ）は変形例に係る釣糸巻き取り時における各部の位置関係を示す説明図である。この変形例では、釣糸巻き取り時に、釣糸案内体２２の前方から見て、釣糸挿通領域２４の開口が閉じられる（開口面積がゼロになる）ように構成されている。
【００８６】
この例では、ピラー３０が第１の位置に配置されている状態で、次式（７）の関係を有するように設定されている。
ｈ０  ≧  ｈ２                  ・・・（７）
【００８７】
すなわち、リール本体１の下端部を基準として、釣糸案内溝２４ｄの底部までの高さｈ０以下となるように、ピラー３０の釣糸案内部３１までの高さｈ２が設定されている。これによって、ピラー３０は、第１の位置に移動されると、ラインガイド２３の釣糸案内溝２４ｄの底部と同じかまたはそれよりも低い位置に釣糸案内部３１が位置する状態となる。
これにより、釣糸には、ピラー３０の釣糸案内部３１による押圧でテンションがより一層付与された状態となる。したがって、釣糸巻き取り時には、ピラー３０で押さえられて釣糸がより暴れ難くなり、釣糸案内溝２４ｄ内に釣糸が確実に位置決め保持されて、釣糸案内溝２４ｄ内から釣糸がより一層外れ難くなる。
【００８８】
本実施形態では、釣糸巻き取り時における釣糸挿通領域２４の開口が閉じられる（開口面積がゼロになる）こととなるが、釣糸挿通領域２４における上下方向の高さと左右方向の幅との関係は、前記式（６）の関係に対応したものとなっている。
すなわち、釣糸巻き取り時における釣糸挿通領域２４と、釣糸放出時における釣糸挿通領域２４とでは、左右方向の幅の変化の大きさが上下方向の高さの変化の大きさよりも大きくなる関係を有しており、釣糸巻き取り時には、ラインガイド２３の中央部２４ｃ’の釣糸案内溝２４ｄに釣糸が好適に位置決め保持される状態となる。これによって、スプールに釣糸が均一かつ平行（平坦）に巻回されることとなり、スムーズな釣糸の巻き取りを実現することができる。
また、釣糸放出時には、釣糸のガイドされる領域（釣糸挿通領域２４（図４（ｆ）参照））が実質的に大きくなり、特に左右方向の幅がより大きくなるので、この大きくされた釣糸挿通領域２４内を釣糸がスプール５の幅内から左右方向に繰り出し位置を変えながら通過することとなり、釣糸の接触抵抗（送出抵抗）が小さくなってスムーズな釣糸の放出を実現することができる。したがって、釣糸の放出スピードが減速され難くなり、スムーズな釣糸の放出を実現することができる。
【００８９】
（第２実施形態）
図７を参照して第２実施形態の魚釣用リールについて説明する。
本実施形態の魚釣用リールが前記第１実施形態と異なるところは、釣糸案内体２２の前方から見て、ラインガイド２３が略Ｖ字形状に形成されている点である。
【００９０】
ラインガイド２３は、スプール５の軸線Ｏ１（図２（ｂ）参照、以下同じ）に沿うようにして左右方向に横長の略Ｖ字形状とされており、釣糸案内体２２の左右上方向に二又に延びる延設部２３ａ’，２３ａ’を備えている。つまり、ラインガイド２３は、その内側に、中央部２４ｃ’に向けて下る傾斜面とされた釣糸受け面を有している。
ラインガイド２３は、釣糸案内体２２の前方から見て、図７（ｆ）に示すように、左右開口幅D１が上下開口高さＨ１（中央部２４ｃ’における最大開口高さ）に比べて、大きくなるように形成されている。
ここで、延設部２３ａ’，２３ａ’の釣糸案内面２４ｃの傾斜角度は、任意に設定することができる。
【００９１】
延設部２３ａ’，２３ａ’の略Ｖ字形状に切れ込まれた中央部２４ｃ’（底部）には、釣糸巻き取り時に、クラッチレバー５３（図３（ｂ）参照）の操作時に、下方へ向けて移動してきたピラー３０によって、ラインガイド２３の内側を釣糸挿通領域２４内を誘導されてきた釣糸が位置決め保持されるようになっている（図７（ａ）〜（ｃ）参照）。
【００９２】
本実施形態では、スプール５、ラインガイド２３およびピラー３０の高さの関係が、リール本体１の釣竿取付脚１ａの下面を基準として、ラインガイド２３の中央部２４ｃ’の底部までの高さをｈ０’とすると、釣糸巻き取り時において、前記した式（１）の関係を有するとともに、次式（８）の関係を有するように設定されている。
ｈ３  ＞  ｈ２  ＞  ｈ０’                  ・・・（８）
ここで、高さｈ２は、高さｈ０’に少なくとも釣糸の直径程度の寸法を加えた高さ（釣糸巻き取り時に、ラインガイド２３とピラー３０とで巻き取り可能に保持した釣糸が暴れることのない程度の高さ）に設定されることが好ましい。
【００９３】
これにより、ピラー３０は、第１の位置に移動されると、ラインガイド２３の上端部（延設部２３ａ’，２３ａ’の上端部）よりも低い位置において、中央部２４ｃ’に釣糸を位置決め保持するように釣糸案内部３１が位置する状態となる。
【００９４】
したがって、クラッチレバー５３の操作やハンドル７の操作によってクラッチＯＦＦ状態からクラッチＯＮ状態に切り換えられると、第２の位置から第１の位置にピラー３０が移動する過程で釣糸案内部３１により釣糸が押し下げられ、その際に、釣糸は、ラインガイド２３の延設部２３ａ’，２３ａ’の釣糸案内面２４ｃに沿って中央部２４ｃ’に向けて移動する。そして、ピラー３０が第１の位置まで移動されることで、中央部２４ｃ’に釣糸が誘導される。これによって、ラインガイド２３とピラー３０とに保持されるようにして、釣糸は中央部２４ｃ’の底部に好適に位置決め保持される。
【００９５】
なお、リール本体１の下端部を基準として、釣糸巻き取り時には、次式（９）の関係を有するように設定されることが特に好ましい。
ｈ２  ≦  ｈ０’        ・・・（９）
【００９６】
この場合には、ラインガイド２３の中央部２４ｃ’の底部の高さｈ０’以下となるように、ピラー３０の釣糸案内部３１までの高さｈ２が設定されるので、ピラー３０は、第１の位置に移動されると、ラインガイド２３の中央部２４ｃ’の底部と同じかまたはそれよりも低い位置において、ラインガイド２３との間で釣糸を巻き取り可能に保持する状態となる。
これによって、釣糸には、ピラー３０の釣糸案内部３１による押圧でテンションが付与された状態となる。したがって、ラインガイド２３の中央部２４ｃ’の底部に釣糸が確実に位置決め保持されるようになり、釣糸巻き取り時にラインガイド２３とピラー３０とで巻き取り可能に保持した釣糸がより一層暴れにくくなる。このような構成とすることは、特に、本実施形態の略Ｖ字形状のラインガイド２３のように、前記第１実施例で示したような釣糸案内溝２４ｄのない構造において、釣糸巻き取り時の均一性の向上を図る上で有益である。
【００９７】
一方、図７（ｄ）〜（ｆ）に示すように、釣糸放出時における各部の高さの関係は、第１実施形態で説明したものと同様であり、ピラー３０は、第２の位置に移動されると、スプール５の釣糸巻回位置５ｅと同じかまたはこれよりも低い位置において、ラインガイド２３の上端部よりも低い位置に釣糸案内部３１が位置する状態となる。
【００９８】
したがって、クラッチレバー５３の操作によってクラッチＯＮ状態からクラッチＯＦＦ状態に切り換えられると、第１の位置から第２の位置にピラー３０が移動して退避される過程で、ラインガイド２３の中央部２４ｃ’の底部における釣糸の位置決め保持が解除され、前記式（４）の関係により、ラインガイド２３内の上部の横長のスペース（釣糸挿通領域２４の上部側空間）に釣糸が移動することとなる。したがって、スムーズな釣糸の放出を行うことができる。
【００９９】
本実施形態では、前記第１実施形態で説明した作用効果に加えて、ラインガイド２３が略Ｖ字形状とされて構成がシンプルであるので、安価であることに加えて、表面処理や表面加工が容易となり、高精度に仕上げることが可能となる。
【０１００】
（第３実施形態）
図８〜図１０を参照して第３実施形態の魚釣用リールについて説明する。
本実施形態の魚釣用リールが前記第１，第２実施形態と異なるところは、リール本体１の上部の左右側板２Ａ，２Ｂ間に設けられたサムレスト４０が、クラッチレバー５３の切り換え操作に連動して上下方向に移動可能に設けられている点、また、ラインガイド２３に、釣糸挿通孔２４Ａが形成されている点である。
【０１０１】
ラインガイド２３に形成された釣糸挿通孔２４Ａは、図９（ｂ）に示すように、前方から見て、スプール５の軸線Ｏ１に沿うようにして左右方向に横長形状とされており、図９（ｃ）に示すように、左右開口幅Ｄ１が上下開口高さＨ１（釣糸挿通孔２４Ａの中央部２４ｃ’における最大開口高さ）に比べて、大きくなるように形成されている。
【０１０２】
釣糸挿通孔２４Ａの上部内面２４ａは、水平面に対して平行とされており、この上部内面２４ａの左右端部に連続してする左右内面２４ｂ，２４ｂは、それぞれ円弧面とされている。また、これらの左右内面２４ｂ，２４ｂに連続する下部内面となる釣糸案内面２４ｃは、釣糸挿通孔２４Ａの中央部２４ｃ’に向けて緩やかに直線状に下る傾斜面とされている。
ここで、釣糸案内面２４ｃの傾斜角度θは、水平面に対して１〜３０度の範囲に設定されるのが好ましく、より好ましくは、５〜１５度の範囲に設定されるのがよい。
また、釣糸案内面２４ｃの中央部２４ｃ’には、釣糸巻き取り時に釣糸を巻き取り可能に保持しつつ位置決め保持する釣糸案内溝２４ｄが形成されている。
【０１０３】
サムレスト４０の前部は、図８（ａ）（ｂ）に示すように、ラインガイド２３を覆うように前方へ向けて延設されており、その下面には、図９（ａ）（ｄ）に示すように、支持部４１を介してピラー３０が回転可能に支持されている。ピラー３０は、サムレスト４０を閉じた状態（先端を下方向へ回動して第１の位置にピラー３０を移動させた状態）で、図９（ａ）に示すように、ラインガイド２３の後方の近傍位置に配置されるようになっており、その位置で釣糸を押し下げて、釣糸案内溝２４ｄに釣糸を誘導するように構成されている。
【０１０４】
サムレスト４０の前端部４０ａは、下方へ向けて折曲されており、その先端下部には、図８（ａ）に示すように、釣糸挿通用の開口４０ｂが形成されている。この開口４０ｂは、サムレスト４０を閉じた状態（図９（ａ）参照）においても前方へ向けて開いており、釣糸巻き取り時における釣糸の挿通が可能となっている。
サムレスト４０の上面中央部には、図８（ｂ）に示すように、段差部４３が形成されており、この段差部４３を介してサムレスト４０の後部側が左右方向に幅狭に形成されている。そして後部側には、支持部材５３ａを介してクラッチレバー５３が連結されている。
サムレスト４０の中央部の下部には、図１０（ａ）に示すように、円環部４４が一体的に設けられている。この円環部４４は、図１０（ｂ）に示すように、左右フレーム２ａ，２ｂの内側に設けられた、スプール軸５ｃと同芯円環状の突設部４３ａ，４３ｂに対して外嵌可能であり、これらの突設部４３ａ，４３ｂに円環部４４，４４がそれぞれ外嵌されることで、サムレスト４０は、スプール軸５ｃ周りに回動可能に取り付けられ、クラッチレバー５３の切り換え操作に連動して（先端部側が）上下方向に移動可能に設けられている。
【０１０５】
そして、スプール５に対する釣糸の巻き取りを可能にするクラッチＯＮ状態にクラッチレバー５３を切り換え操作することにより、図９（ａ）〜（ｃ）に示すように、サムレスト４０が下方向へ移動し、この移動によりピラー３０が第１の位置に移動して、釣糸挿通孔２４Ａの中央部２４ｃ’に釣糸が位置決め保持される。
また、スプール５からの釣糸放出を可能にするクラッチＯＦＦ状態にクラッチレバー５３を切り換え操作することにより、図９（ｄ）（ｅ）に示すように、サムレスト４０が上方向へ移動し、この移動によりピラー３０が第２の位置に移動して、釣糸挿通孔２４Ａの中央部２４ｃ’から釣糸が離れる。
【０１０６】
本実施形態の魚釣用リールによれば、ラインガイド２３に設けられた釣糸挿通孔２４Ａが、繰り出される釣糸の移動方向に沿う左右方向に横長形状とされており、釣糸放出時（クラッチＯＦＦの状態にしたときや、クラッチＯＮの状態でドラグフリー状態にしたとき）には、釣糸挿通孔２４Ａ内を釣糸がスプール５の幅内から左右方向に繰り出し位置を変えながら通過することとなるので、釣糸挿通孔２４Ａの内面と釣糸との接触抵抗（送出抵抗）が小さくなり、スムーズな釣糸の放出を実現することができる。
また、釣糸挿通孔２４Ａの上部内面２４ａが水平面に対して平行であるので、釣糸放出時における水平方向（左右方向）の放出抵抗を可及的に小さくすることができ、スムーズな釣糸の放出を実現することができる。また、釣糸放出時の釣糸の暴れを好適に抑えることができるので、よりスムーズな釣糸の放出が実現される。
【０１０７】
また、クラッチレバー５３の切り換え操作に連動するサムレスト４０を備えているので、釣糸放出（仕掛けの投入）から釣糸巻き取りまでの一連の操作をスムーズに行うことができ、操作性に優れ、釣果の向上を期待することができる。
さらに、サムレスト４０とピラー３０とが一緒に移動するので、サムレスト４０がピラー３０の移動に邪魔にならず、ピラー３０の上下方向の移動量を大きく設定することができ、ラインガイド２３を上下方向（高さ方向）に大きく形成することも可能である。これによって、釣糸放出時に釣糸挿通孔２４Ａの内面と釣糸との放出抵抗（接触抵抗）が小さくなる。これによって、スムーズな釣糸の放出を実現することができる。
また、ピラー３０を下方向に移動させたときには、サムレスト４０も下がるので、違和感なくパーミング（把持）しながら、釣糸の巻き取り操作を行うことができ、操作性に優れる。
【０１０８】
（第４実施形態）
図１１，図１２を参照して第４実施形態の魚釣用リールについて説明する。
本実施形態の魚釣用リールは前記第３実施形態の変形例であり、前記第３実施形態と異なるところは、ラインガイド２３における延設部２３ａ，２３ａの傾斜角度が前記第２実施形態で示したものよりも小さく設定されているとともに、ピラー３３が、釣糸の軸周りを囲う枠状とされている点である。
【０１０９】
ラインガイド２３の延設部２３ａ，２３ａは、中央部２４ｃ’に向けて緩やかに下る傾斜面とされた釣糸受け面を有しており、図１２（ｃ）に示すように、釣糸案内体２２の前方から見て、左右開口幅Ｄ１が上下開口高さＨ１（中央部２４ｃ’における最大開口高さ）に比べて、大きくなるように形成されている。
なお、延設部２３ａ，２３ａの釣糸案内面２４ｃの傾斜角度は、任意に設定することができる。
【０１１０】
ピラー３３は、図１１（ａ）に示すように、前方から見て四角枠状とされており、上枠３３ａと下枠３３ｃと左右枠３３ｂ，３３ｂとを備えている。そして、ピラー３３の枠内に釣糸が挿通されるようになっている。
上枠３３ａは、サムレスト４０の前部下面に設けられた支持部４１，４１に支持されてサムレスト４０に固定されている。上枠３３ａは、図１２（ａ）に示すように、ピラー３３が第１の位置に移動した際に、図１２（ｂ）（ｃ）に示すように、ラインガイド２３の中央部２４ｃ’に釣糸を誘導するように設定されており、中央部２４ｃ’（釣糸案内溝２４ｄ内に）に釣糸を位置決め保持するように作用する。
【０１１１】
下枠３３ｃは、左右枠３３ｂ，３３ｂを介して上枠３３ａに連結されており、図１２（ａ）に示すように、サムレスト４０が閉じられた状態（ピラー３３が第１の位置に移動した状態）で、上枠３３ａに対して後方側に偏位している。これにより、左右枠３３ｂ，３３ｂは、垂直面に対して後方へ角度θ１をもって傾斜している。
【０１１２】
ここで、リール本体１の釣竿取付脚１ａの下面を基準として、下枠３３ｃの釣糸当接面３３ｃ’までの高さをｈ５としたときに、本実施形態では、図１２（ｄ）（ｅ）に示すように、第２の位置にピラー３３が移動した釣糸放出時において、次式（９）の関係を有するように設定されている。
ｈ５  ＞  ｈ４                  ・・・（９）
【０１１３】
すなわち、釣糸放出時においては、リール本体１の下端部を基準として、下枠３３ｃの釣糸当接面３３ｃ’がラインガイド２３の中央部２４ｃ’までの高さｈ４よりも高くなるように設定されている。
したがって、クラッチレバー５３の操作によってクラッチＯＮ状態からクラッチＯＦＦ状態に切り換えられると、第１の位置から第２の位置にピラー３３が移動して退避され、その過程で、釣糸にテンションが付与されていない状態や、水分、付着物等で釣糸が釣糸案内溝２４ｄに吸着している場合においても、下枠３３ｃによって釣糸案内溝２４ｄ内に位置決め保持されていた釣糸が上方へ持ち上げられる。これにより、釣糸案内溝２４ｄ内における釣糸の位置決め保持がより確実に解除され、釣糸案内溝２４ｄ内から上方の横長のスペースに釣糸が移動することとなる。したがって、スムーズな釣糸の放出を行うことができる。
【０１１４】
また、第２の位置にピラー３３が移動した状態では、ピラー３３の上枠３３ａが釣糸挿通孔２４Ａの上部内面２４ａとスプール５の釣糸巻回位置５ｅとの間に架け渡された釣糸の上方に間隔を隔てて位置することとなり、また、下枠３３ｃが同様に釣糸の下方に間隔を隔てて位置することとなる。これによって、上枠３３ａおよび下枠３３ｃは、釣糸に対して直接接触することのない位置に退避される状態となり、これによって、スプール５から繰り出される釣糸は、上枠３３ａおよび下枠３３ｃに接触することなくラインガイド２３の上方の横長のスペースに送られる。したがって、スムーズな釣糸の放出を行うことができる。
【０１１５】
ところで、このように構成されたピラー３３は、前記したように下枠３３ｃが上枠３３ａに対して後方へ偏位しているので、前後方向から見たとき開口の大きさ（図示しない垂直面に投影された開口の大きさ）が、第１の位置にあるときよりも第２の位置にあるときの方が大きくなる。
したがって、ピラー３３が第２の位置にある釣糸放出時には、第１の位置にある場合に比べて、開口が実質的に大きくなり、これによって、スムーズな釣糸放出を実現することができる。
また、ピラー３３が第１の位置にある釣糸巻き取り時には、第２の位置にある場合に比べて、開口が実質的に小さくなり、これによって、釣糸の巻き取りが安定し、巻き取りの均一性がよくなる。
【０１１６】
本実施形態によれば、ピラー３３が左右方向に横長形状とされ、釣糸を軸回りに囲う枠状とされて、釣糸放出時の釣糸の移動方向に対応した横長のスペースを有しているので、釣糸との接触抵抗（送出抵抗）が小さくなり、スムーズな釣糸の放出を実現することができる。
また、釣糸放出時において釣糸が仮に左右方向に暴れたとしても、これを枠状のピラー３３で好適に抑えることができるので、スムーズな釣糸の放出を実現することができる。
【０１１７】
なお、第２の位置にピラー３３が移動した釣糸放出時において、前記式（９）の関係を必ずしも有しなくてもよい。
【０１１８】
（第５実施形態）
図１３，図１４を参照して第５実施形態の魚釣用リールについて説明する。
本実施形態の魚釣用リールは前記第４実施形態の変形例であり、前記第４実施形態と異なるところは、ピラー３５が、ラインガイド２３の前方に位置するように構成されている点である。また、ラインガイド２３が前記第３実施形態で示したものよりも開口の大きくされた釣糸挿通孔２４Ａを有している点である。
【０１１９】
ピラー３５は、図１３（ａ）に示すように、前方から見て四角枠状とされており、上枠３５ａと下枠３５ｃと左右枠３５ｂ，３５ｂとを備えて、サムレスト４０の前端下部に一体的に設けられている。このピラー３５においても、枠内に釣糸が挿通されるようになっている。
上枠３５ａは、サムレスト４０の前端下面により形成されており、ピラー３５が第１の位置に移動した際に、図１４（ｂ）に示すように、釣糸挿通孔２４Ａの中央部２４ｃ’に釣糸を誘導するように設定されており、中央部２４ｃ’（釣糸案内溝２４ｄ内に）に釣糸を巻き取り可能に保持しつつ位置決め保持するように作用する。本実施形態では、図１４（ｂ）に示すように、前方から見たときに、上枠３５ａの下方に、釣糸案内溝２４ｄの略全体が露出する位置（前記した高さｈ４に相当する位置（第１の位置））にピラー３５が位置するように設定されている。
【０１２０】
下枠３５ｃは、左右枠３５ｂ，３５ｂを介して上枠３５ａに連結されており、図１４（ａ）に示すように、サムレスト４０が閉じられた状態（ピラー３５が第１の位置に移動した状態）で、図１４（ｂ）に示すように、前方から見て、螺軸２１よりも下方に位置するようになっている。
本実施形態では、ピラー３５が第１の位置にあるときに、ピラー３５は略垂直に配置されるようになっている。
【０１２１】
ここで、リール本体１の釣竿取付脚１ａの下面を基準として、下枠３５ｃの釣糸当接面３５ｃ’までの高さをｈ６としたときに、本実施形態では、図１４（ｃ）（ｄ）に示すように、第２の位置にピラー３５が移動した釣糸放出時において、次式（１０）の関係を有するように設定されている。
ｈ６  ＞  ｈ４                  ・・・（１０）
【０１２２】
すなわち、釣糸放出時においては、リール本体１の下端部を基準として、下枠３５ｃの釣糸当接面３５ｃ’が釣糸挿通孔２４Ａの中央部２４ｃ’までの高さｈ４よりも高くなるように設定されている。
したがって、クラッチレバー５３の操作によってクラッチＯＮ状態からクラッチＯＦＦ状態に切り換えられると、第１の位置から第２の位置にピラー３５が移動して退避され、その過程で、釣糸にテンションが付与されていない状態や、水分、付着物等で釣糸が釣糸案内溝２４ｄに吸着している場合においても、下枠３５ｃによって釣糸案内溝２４ｄ内に位置決め保持されていた釣糸が上方へ持ち上げられる。これにより、釣糸案内溝２４ｄ内における釣糸の位置決め保持がより確実に解除され、釣糸案内溝２４ｄ内から釣糸挿通孔２４Ａの上部の横長のスペースに釣糸が移動することとなる。したがって、スムーズな釣糸の放出を行うことができる。
【０１２３】
また、第２の位置にピラー３５が移動した状態では、ピラー３５の上枠３５ａが釣糸挿通孔２４Ａの上部内面２４ａとスプール５の釣糸巻回位置５ｅとの間に架け渡された釣糸の上方に間隔を隔てて位置することとなり、また、下枠３５ｃが同様に釣糸の下方に間隔を隔てて位置することとなる。これによって、上枠３５ａおよび下枠３５ｃは、釣糸に対して直接接触することのない位置に退避される状態となり、これによって、スプール５から繰り出される釣糸は、上枠３５ａおよび下枠３５ｃに接触することなく放出される。したがって、スムーズな釣糸の放出を行うことができる。
【０１２４】
なお、第２の位置にピラー３５が移動した釣糸放出時において、前記式（１０）の関係を必ずしも有しなくてもよい。
また、ピラー３５は、枠状としたが、これに限られることはなく、上枠３５ａのみを有するように構成してもよい。
【０１２５】
（第６実施形態）
図１５，図１６を参照して第６実施形態の魚釣用リールについて説明する。
本実施形態の魚釣用リールが前記第１〜第５実施形態と異なるところは、釣糸案内体２２が上下方向に移動可能に設けられ、ピラー３０が、左右フレーム２ａ，２ｂ間に上下方向移動不能に設けられている点である。
【０１２６】
釣糸案内体２２は、下部後部がガイド軸２２ａで支持されており、筒体２５を囲繞するようにして回り止め保持されている。釣糸案内体２２の後端部には、上方へ向けて垂直に立設された立設部２７が設けられている。この立設部２７には、前面側に開口するように平断面で略Ｔ字形状を呈する縦溝２７ａが形成されている。
一方、ラインガイド２３は、釣糸案内体２２と別個独立した部材で形成されており、釣糸案内体２２に対して上下方向移動可能に設けられている。そのための構成として、ラインガイド２３の後端部には、釣糸案内体２２の立設部２７の縦溝２７ａに上下方向スライド可能に係合する、平断面略Ｔ字形状の係合部２３ｄが設けられている（図１６（ｃ）参照）。
【０１２７】
また、ラインガイド２３の後部には、長穴２３ｅが形成されている。この長穴２３ｅには、クラッチ機構５０のクラッチ駆動部材５１の腕部５１ａ（いずれも図３（ｂ）参照）に設けられた支持棒５１ｂが挿通されて係合している（図１６（ｃ）参照）。これにより、ラインガイド２３は、クラッチ駆動部材５１が駆動されることにより、釣糸案内体２２の立設部２７の縦溝２７ａに沿うようにして上下方向に移動可能に設けられている。本実施形態では、図１６（ａ）に示すように、ラインガイド２３の左側部２３ｂおよび右側部２３ｃがサムレスト４０の前端部の前方に位置するようにラインガイド２３が配置されており、ラインガイド２３が上下方向に移動する際にサムレスト４０が邪魔にならいように構成されている。
【０１２８】
このようなラインガイド２３は、クラッチ機構５０（図３（ｂ）参照）により、スプール５に対する釣糸の巻き取りを可能にするクラッチＯＮ状態（釣糸巻き取り時）で上方向に移動するようになっている。そして、その際に、ラインガイド２３の内側に挿通された釣糸は、図１６（ｂ）に示すように、ピラー３０によって中央部２４ｃ’に誘導され、当該中央部２４ｃ’の釣糸案内溝２４ｄに位置決め保持されるようになっている。
また、ラインガイド２３は、スプール５から釣糸の繰り出しを可能にするクラッチＯＦＦ状態（釣糸放出時）で、図１６（ｄ）（ｅ）に示すように、下方向に移動するようになっている。そして、その際に、釣糸案内溝２４ｄにおける釣糸の位置決め保持を解除するようになっている。
【０１２９】
本実施形態の魚釣用リールによれば、釣糸巻き取り時には、ラインガイド２３が上方向に移動され、ラインガイド２３とピラー３０とで上下方向から釣糸を巻き取り可能に保持するようにして、中央部２４ｃ’の釣糸案内溝２４ｄに釣糸が位置決め保持されることとなるので、左右方向に往復動する釣糸案内体２２を介してスプール５の左右に釣糸が均等に振分けられ、スプール５に釣糸が均一かつ平行（平坦）に巻き取られる。これにより、スムーズな釣糸の巻き取りを実現することができる。
【０１３０】
また、釣糸放出時には、ラインガイド２３が下方向に移動されて、中央部２４ｃ’における釣糸の位置決め保持が解除され、ラインガイド２３とピラー３０との間に形成された釣糸挿通領域２４（横長のスペース、図１６（ｅ）参照）内を釣糸がスプール５の幅内から左右方向に繰り出し位置を変えながら通過することとなるので、釣糸の接触抵抗（送出抵抗）が小さくなり、スムーズな釣糸の放出を実現することができる。
また、サムレスト４０の前端部の前方において、ラインガイド２３が上下方向に移動可能であるので、サムレスト４０を低く形成したロープロファイルタイプに好適に使用することができる。
【０１３１】
（第７実施形態）
図１７（ａ）（ｂ）を参照して第７実施形態の魚釣用リールについて説明する。
本実施形態の魚釣用リールが前記第６実施形態と異なるところは、リール本体１に、クラッチレバー５３とは別個独立した操作部３００Ａが設けられている点である。
【０１３２】
操作部３００Ａは、図１７（ｂ）に示すように、操作つまみ３００と、この操作つまみ３００に連結された連結部材３０５と、この連結部材３０５の端部に連結された作動部材３０６とを備えている。
操作つまみ３００は、支持部３０３を中心として前後方向に揺動可能に設けられており、後端側に取り付けられた振分け付勢ばね３０４によって、前端部３０１が右フレーム２ｂに向けて押し下げられた状態と、後端部３０２が右フレーム２ｂに向けて押し下げられた状態とに振分け保持されるようになっている。
操作つまみ３００は、図１７（ａ）に示すように、右フレーム２ｂの上面に沿うようにして配置されている。
【０１３３】
連結部材３０５は、棒状の部材であり、図１７（ｂ）に示すように、前端部３０１の下部に一端が連結され、他端が作動部材３０６に連結されている。
作動部材３０６は、長板状の部材であり、基端部が支軸３０７で支持され、支軸３０７を中心として回動可能に設けられている。作動部材３０６の先端部には、支持棒５１ｂを介してラインガイド２３の後部が支持されているとともに、連結部材３０５の他端が連結されている。
【０１３４】
このような操作部３００Ａによれば、操作つまみ３００の前端部３０１を右フレーム２ｂに向けて押し下げ操作すると、その押し下げ操作に連動して連結部材３０５が下方向に移動し、この移動によって、作動部材３０６が支軸３０７を中心として下方向に回動する。
これにより、作動部材３０６に支持されているラインガイド２３も下方向に向けて移動し、その結果、図１６（ｄ）（ｅ）に示すように、中央部２４ｃ’における釣糸の位置決め保持が解除され、ラインガイド２３とピラー３０との間に釣糸挿通領域２４が形成される。
【０１３５】
一方、これとは逆に、ピラー操作つまみ３００の後端部３０２を右フレーム２ｂに向けて押し下げ操作すると、その押し下げ操作に連動して連結部材３０５が上方向に移動し、この移動によって、作動部材３０６が支軸３０７を中心として上方向に引っ張られるようにして回動する。
これにより、作動部材３０６に支持されているピラー３０も上方向に向けて移動し、その結果、ラインガイド２３とピラー３０とで上下方向から釣糸を巻き取り可能に保持するようにして、中央部２４ｃ’の釣糸案内溝２４ｄに釣糸が誘導されて位置決め保持される。
【０１３６】
このように、操作つまみ３００を前後に押し下げ操作することによって、ラインガイド２３の位置を上下方向に移動させることができ、釣糸の位置決め保持および位置決め保持の解除を行うことができる。
本実施形態では、操作部３００Ａが、クラッチレバー５３とは別個独立して設けられているので、通常であればラインガイド２３とピラー３０との保持によって、釣糸案内溝２４ｄに釣糸が位置決め保持されているクラッチＯＮ状態においても、操作つまみ３００の前端部３０１を押し下げ操作することによって、釣糸案内溝２４ｄにおける釣糸の位置決め保持を解除することができる。
【０１３７】
したがって、本実施形態の魚釣用リールによれば、クラッチＯＮ状態において、ドラグフリー状態にして釣糸を放出する（繰り出す）場合に、操作つまみ３００を操作することにより、ラインガイド２３を下方向に移動させることで釣糸放出時の抵抗が小さくなるようにすることができる。これにより、スムーズな釣糸の放出を実現することができる。
【０１３８】
なお、クラッチレバー５３の切り換え操作に連動してラインガイド２３が作動するように構成し、これとともに操作つまみ３００の操作によってもラインガイド２３が作動するように構成してもよい。
また、操作つまみ３００とクラッチレバー５３とを、連動状態と非連動状態とに切り換えられるように構成してもよい。
【０１３９】
図１８（ａ）〜（ｃ）は、釣糸挿通孔２４Ａを有するラインガイド２３の変形例を示したものであり、図１８（ａ）に示した例は、ラインガイド２３の上部（上枠、以下同じ）に、前後方向に直線状に延びる釣糸挿通用の切欠き部２３Ａを形成したものである。
また、図１８（ｂ）に示した例は、ラインガイド２３の上部に、前後斜め方向に直線状に延びる釣糸挿通用の切欠き部２３Ｂを形成したものである。
また、図１８（ｃ）に示した例は、ラインガイド２３の上部に、前後方向に湾曲状に延びる釣糸挿通用の切欠き部２３Ｃを形成したものである。
【０１４０】
これらの例に示したような、切欠き部２３Ａ，２３Ｂ，２３Ｃをラインガイド２３に設けることによって、各切欠き部２３Ａ，２３Ｂ，２３Ｃを通じて釣糸挿通孔２４Ａ内に釣糸を簡単に挿通することができ、釣糸挿通孔２４Ａに直接に釣糸を通すときのような手間がかからない。したがって、操作性のよい魚釣用リールが得られる。
【０１４１】
なお、図１８（ｂ）（ｃ）に示した例では、切欠き部２３Ｂ，２３Ｃの軸線が、釣糸放出時および釣糸巻き取り時における釣糸の軸線（不図示）と異なっているので、釣糸挿通孔２４Ａ内に釣糸を簡単に挿通することができる構成でありながら、釣糸放出時および釣糸巻き取り時において釣糸が釣糸挿通孔２４Ａを通じて外れることもない。
【０１４２】
なお、前記第２実施形態を除く前記各実施形態では、釣糸挿通孔２４Ａの中央部２４ｃ’に釣糸案内溝２４ｄを設けたが、釣糸案内溝２４ｄは必ずしも設けなくてもよく、中央部２４ｃ’の谷部によって釣糸が位置決め保持されるようにしてもよい。
【０１４３】
また、前記各実施形態では、ラインガイド２３またはピラー３０を上下方向に移動可能に構成したが、これに限られることはなく、ラインガイド２３およびピラー３０の両方を上下方向に移動可能に構成してもよい。
また、前記各実施形態では、ラインガイド２３およびピラー３０（３３，３５）を前後方向に一対設けたが、これに限られることなく、１つのラインガイド２３に対して２以上のピラー３０（３３，３５）を設けてもよい。この場合に、ラインガイド２３を前後のそれぞれにピラー３０（３３，３５）を設けてもよい。
【０１４４】
また、前記第１〜第３実施形態、第６，第７実施形態においてピラー３０は棒状としたが、第４，第５実施形態で示したような枠状としてもよい。
【０１４５】
また、各実施形態において、釣糸放出時にラインガイド２３は、左右方向に静止状態であるが、スプール５の回転と連動させて、左右往復動させてもよく、この場合にも、釣糸放出時の抵抗を減少させることができる。
【０１４６】
また、各実施形態において、ドラグフリー状態にしたときに、この操作に連動して、ラインガイド２３とピラー３０（３３，３５）とが離れる方向に移動するように構成してもよい。この場合には、ドラグフリー状態にしたときにクラッチ駆動部材５１が連動して作動するように構成すればよい。
【符号の説明】
【０１４７】
１      リール本体                        ３０    ピラー（第２ラインガイド）
２Ａ，２Ｂ    左右側板                    ３１    釣糸案内部
４      サムレスト                        ３３    ピラー（第２ラインガイド）
５      スプール                          ３３ａ  上枠
７      ハンドル                          ３３ｂ  左右枠
７ａ    ハンドル軸                        ３３ｃ  下枠
１０    駆動機構                          ３５    ピラー（第２ラインガイド）
２０    レベルワインド機構                ３５ａ  上枠
２２    釣糸案内体                        ３５ｂ  左右枠
２３    ラインガイド（第１ラインガイド）  ３５ｃ  下枠
２４Ａ    釣糸挿通孔                      ４０    サムレスト
２４ａ  上部内面                          ５１    クラッチ駆動部材（駆動手段）
２４ｃ  釣糸案内面                        ５３    クラッチレバー
２４ｃ’  中央部                          ３００Ａ  ピラー操作部
２４ｄ  釣糸案内溝                        Ｏ１      軸線
【図１】
0005530325.tif 000002
【図２】
0005530325.tif 000003
【図３】
0005530325.tif 000004
【図４】
0005530325.tif 000005
【図５】
0005530325.tif 000006
【図６】
0005530325.tif 000007
【図７】
0005530325.tif 000008
【図８】
0005530325.tif 000009
【図９】
0005530325.tif 000010
【図１０】
0005530325.tif 000011
【図１１】
0005530325.tif 000012
【図１２】
0005530325.tif 000013
【図１３】
0005530325.tif 000014
【図１４】
0005530325.tif 000015
【図１５】
0005530325.tif 000016
【図１６】
0005530325.tif 000017
【図１７】
0005530325.tif 000018
【図１８】
0005530325.tif 000019